(57)【要約】【課題】  簡便に設置でき、且つ安価にて商品等に興味を持つことでその場に立ち止まった人の数を把握できるようにすること。【解決手段】  停止人数データ記憶手段２５と、人体から放射される赤外線を検知することにより人の近接を検知する複数の水平方向にほぼ横一列上に配列されたパッシブ型の赤外線人体センサ１５ａ〜ｅと、該赤外線人体センサ１５ａ〜ｅから出力される検出信号に基づいて、いずれか一方の端部位置の赤外線人体センサ１５ａ，１５ｅから検出信号が出力されてから、再度いずれか一方の端部位置の赤外線人体センサ１５ａ，１５ｅから検出信号が出力されるまでの滞留期間を計時する滞留期間計時手段４１と、該計時された滞留期間が所定の停止判断期間以上であるときに、停止人数データに１を加算更新する停止人数データ加算更新手段４１と、当該装置の動作に必要とされる電力を、蓄電している電力より供給する電力供給手段２６，４２と、を備える。【選択図】  図６
2006350417.tif 000002
【特許請求の範囲】
【請求項１】
停止人数データを記憶するための停止人数データ記憶手段と、
人体から放射される赤外線を検知することにより人の近接を検知する複数の水平方向にほぼ横一列上に配列されたパッシブ型の赤外線センサと、
前記各赤外線センサに接続され、当該赤外線センサから出力される検出信号に基づいて、前記いずれか一方の端部位置の赤外線センサから検出信号が出力されてから、再度いずれか一方の端部位置の赤外線センサから検出信号が出力されるまでの期間を計時する滞留期間計時手段と、
該滞留期間計時手段により計時された滞留期間が所定の停止判断期間以上であるときに、前記停止人数データ記憶手段に記憶されている停止人数データに１を加算更新する停止人数データ加算更新手段と、
当該装置の動作に必要とされる電力を、蓄電している電力より供給する電力供給手段と、
を備えることを特徴とする停止人数計数装置。
【請求項２】
検知人数データを記憶するための検知人数データ記憶手段と、
前記各赤外線センサからの検出信号が無い状態からいずれかの赤外線センサから検出信号が出力されることに基づいて、前記検知人数データに１を加算更新する検知人数データ加算更新手段を備えることを特徴とする請求項１に記載の停止人数計数装置。
【請求項３】
少なくとも前記停止人数データ記憶手段が、前記停止人数計数装置に着脱可能な記憶媒体にて形成され、
前記記憶媒体が装着され、該装着された記憶媒体への記憶データの書き込み並びに読み出しを実施するリーダライタ手段を備えることを特徴とする請求項１または２に記載の停止人数計数装置。
【請求項４】
前記停止人数計数装置の前面を覆う幕板を備え、複数の前記赤外線センサを当該幕板の裏面部に有することを特徴とする請求項１〜３のいずれかに記載の停止人数計数装置。
【請求項５】
前記幕板が、前記赤外線センサが反応する赤外線を透過するとともに、少なくとも可視光の一部を反射するミラー部材を、その前面に有することを特徴とする請求項１〜４のいずれかに記載の停止人数計数装置。
【請求項６】
前記電力供給手段に蓄電されている電力が消耗したことを報知するための報知手段を有することを特徴とする請求項１〜５のいずれかに記載の停止人数計数装置。
【請求項７】
前記赤外線センサの高さ方向の向きを変更調節するための向き調節手段を備えることを特徴とする請求項１〜６のいずれかに記載の停止人数計数装置。
【発明の詳細な説明】
【技術分野】
【０００１】
本発明は、店舗等において、特定の商品や機器、例えば新製品等に興味をもつことにより、当該新製品等の前の位置に立ち止まった来店者等の人数を、簡便に把握するための停止人数計数装置に関する。
【背景技術】
【０００２】
近年、新たな商品開発に役立てるために、商品、例えば新製品等に対する消費者の反応を簡便に把握したいという要望がある。
【０００３】
このため、これら消費者の反応を把握する方法として、例えば、店舗内における新製品が陳列されている領域の映像を監視カメラ等にて撮像して録画し、当該録画した映像から消費者の反応を把握するものがある（例えば、特許文献１参照）。
【０００４】
しかしながら、これら監視カメラによる方法では、撮像するためのカメラを設置したり、録画するための装置や、カメラと録画装置とを接続するための配線や、カメラに電力を供給するための配線等の工事を実施する必要があるばかりか、具体的に、消費者の反応を数値として評価するためには、一度録画した録画映像を再生して、興味を持つことでその場に立ち止まった人の数や、商品を購入した人の数等を別途カウントしたり、撮像した画像から画像処理等により消費者の動作を抽出してその動きや経路を認識する必要があった。
【０００５】
一方、利用者が近接した所定の位置に所定時間以上滞留したことを検知する機能を有するものとしては、トイレにおいて自動的に水を流すための人検知センサ等がある（例えば、特許文献２参照）。
【０００６】
【特許文献１】特開２００２−２４０２５２号公報
【特許文献２】特開２００５−９８８９０号公報
【発明の開示】
【発明が解決しようとする課題】
【０００７】
これら消費者の反応を把握したい商品の提供者や店舗の運営者にあっては、前述した特許文献１に示すような大がかりな設備や工事、並びに後処理等を伴うことなく、より簡便に消費者の反応を把握したいという要望が多くあることから、これらの要望に応える手法として、前述したトイレに使用されている人検知センサを用い、該人検知センサにより所定時間以上に亘って継続して人が検出された場合に、その場所に人が立ち止まったものとしてカウントする手法が考えられる。
【０００８】
しかしながら、特許文献２におけるトイレに使用されている人検知センサは、人体の検出精度を向上するために、赤外線を対象空間に放射して当該対象空間に入圏してきた人体から反射してきた赤外線を検出するアクティブ型の赤外線センサを使用しているため、赤外線センサの消費電力が大きく、これら消費電力を賄うために外部からの電力供給が必須となり、これら電力の供給を受けるための電力ケーブルを施設する必要が生じるばかりか、これら赤外線センサが比較的高価であることから、得られる装置も高価となってしまうという問題があった。
【０００９】
本発明は、このような問題点に着目してなされたもので、電力ケーブルを施設することなく簡便に設置でき、且つ安価にて、商品等に興味を持つことでその場に立ち止まった人の数を把握することのできる停止人数計数装置を提供することを目的とする。
【課題を解決するための手段】
【００１０】
上記課題を解決するために、本発明の請求項１に記載の停止人数計数装置は、
停止人数データを記憶するための停止人数データ記憶手段と、
人体から放射される赤外線を検知することにより人の近接を検知する複数の水平方向にほぼ横一列上に配列されたパッシブ型の赤外線センサと、
前記各赤外線センサに接続され、当該赤外線センサから出力される検出信号に基づいて、前記いずれか一方の端部位置の赤外線センサから検出信号が出力されてから、再度いずれか一方の端部位置の赤外線センサから検出信号が出力されるまでの期間を計時する滞留期間計時手段と、
該滞留期間計時手段により計時された滞留期間が所定の停止判断期間以上であるときに、前記停止人数データ記憶手段に記憶されている停止人数データに１を加算更新する停止人数データ加算更新手段と、
当該装置の動作に必要とされる電力を、蓄電している電力より供給する電力供給手段と、
を備えることを特徴としている。
この特徴によれば、消費電力の少ないパッシブ型の赤外線センサを利用することで、動作中における消費電力を少なくでき、よって、これら装置の動作に必要となる電力を、電力供給手段が蓄電している電力で賄うことが可能となるので、電力ケーブル等を施設する必要がなく、装置を簡便に設置できるとともに、これら安価なパッシブ型の赤外線センサを利用することで、装置自体のコストを低く抑えることができ、結果的に、商品等に興味を持つことでその場に立ち止まった人の数を安価にて把握することができる。
【００１１】
本発明の請求項２に記載の停止人数計数装置は、請求項１に記載の停止人数計数装置であって、
検知人数データを記憶するための検知人数データ記憶手段と、
前記各赤外線センサからの検出信号が無い状態からいずれかの赤外線センサから検出信号が出力されることに基づいて、前記検知人数データに１を加算更新する検知人数データ加算更新手段を備えることを特徴としている。
この特徴によれば、その場に立ち止まった人の数である停止人数に加えて、その場に進入して検知された人の総数である検知人数も把握できるので、これら検知人数に対する停止人数の割合や、検知人数から停止人数を差し引いた非停止人数（通過人数）も把握することが可能となる。
【００１２】
本発明の請求項３に記載の停止人数計数装置は、請求項１または２に記載の停止人数計数装置であって、
少なくとも前記停止人数データ記憶手段が、前記停止人数計数装置に着脱可能な記憶媒体にて形成され、
前記記憶媒体が装着され、該装着された記憶媒体への記憶データの書き込み並びに読み出しを実施するリーダライタ手段を備えることを特徴としている。
この特徴によれば、停止人数データ等のデータが、着脱可能な記憶媒体に記憶されるので、これら停止人数データ等のデータの回収を、記憶媒体を取り外すことにより容易に実施することができる。
【００１３】
本発明の請求項４に記載の停止人数計数装置は、請求項１〜３のいずれかに記載の停止人数計数装置であって、
前記停止人数計数装置の前面を覆う幕板を備え、複数の前記赤外線センサを当該幕板の裏面部に有することを特徴としている。
この特徴によれば、幕板により覆われることで、停止人数計数装置の存在を来店客等に認識されることにより、来店客等に不信感や疑念を抱かせる等の不都合の発生を極力回避することができる。
【００１４】
本発明の請求項５に記載の停止人数計数装置は、請求項１〜４のいずれかに記載の停止人数計数装置であって、
前記幕板が、前記赤外線センサが反応する赤外線を透過するとともに、少なくとも可視光の一部を反射するミラー部材を、その前面に有することを特徴としている。
この特徴によれば、これら停止人数計数装置が配置される什器等の意匠性を損なうことを極力回避できるばかりか、停止人数計数装置が向いている方向が適正か否かを、ミラー部材に写る画像により判断することもできる。
【００１５】
本発明の請求項６に記載の停止人数計数装置は、請求項１〜５のいずれかに記載の停止人数計数装置であって、
前記電力供給手段に蓄電されている電力が消耗したことを報知するための報知手段を有することを特徴としている。
この特徴によれば、電力が消耗してデータが取得できないというトラブルの発生を未然に防止することができる。
【００１６】
本発明の請求項７に記載の停止人数計数装置は、請求項１〜６のいずれかに記載の停止人数計数装置であって、
前記赤外線センサの高さ方向の向きを変更調節するための向き調節手段を備えることを特徴としている。
この特徴によれば、停止人数計数装置が配置される高さ位置に応じて、適宜に高さ方向の向きを調節することができる。
【発明を実施するための最良の形態】
【００１７】
本発明の実施例を以下に説明する。
【実施例】
【００１８】
本発明の実施例を図面に基づいて説明すると、先ず図1は、店舗内に設置された本実施例の停止人数計数装置１を有する什器１００を示す斜視図であり、図２は、本実施例の停止人数計数装置１の外観裏面図であり、図３は、図２におけるＡ−Ａ断面図であり、図４は、本実施例の停止人数計数装置１のブロック図である。
【００１９】
本実施例の停止人数計数装置１は、図１に示すように、新商品２が陳列された什器１００の、当該新商品２の陳列位置の上部となる幕面１０１に設置されている。
【００２０】
この本実施例の停止人数計数装置１の前面は、ミラー部材１１による鏡面とされていて、停止人数計数装置１を構成する各種の電子機器である後述する制御基板２１や赤外線センサ１５ａ〜１５ｅや電池２６等が、来店客からは目視できないようになっており、これら電子機器等を来店客が目視することによって不信感や疑念を抱く等の不都合が発生しないようになっているばかりか、これらミラー部材１１により来店客の手元等を離れた位置からも係員等が目視確認できるので、万引き行為等の監視にも利用することができる。
【００２１】
この本実施例の停止人数計数装置１は、図１並びに図２に示すように、横長の長方形状を有しており、その最前面には、前述したように、ミラー部材１１が設けられている（図３参照）。
【００２２】
このミラー部材１１は、ほぼ同じ大きさの横長の長方形状を有する、樹脂製の幕板１０に貼着されている。
【００２３】
この幕板１０のほぼ中央位置には、ほぼ横一列状に本実施例では５つの装着孔１３がほぼ均等な間隔にて穿設されており、これら各装着孔１３に、中心部が中空とされ、当該中心の中空部に赤外線センサ１５ａ〜１５ｅが嵌着され、中央が突出形成された円盤状の装着ホルダ１４が装着されることで、これら各装着孔１３に赤外線センサ１５ａ〜１５ｅがほぼ一列状で、且つ、前記ミラー部材１１の表面とほぼ垂直となるように配置される。
【００２４】
これら本実施例に用いる赤外線センサ１５ａ〜１５ｅとしては、赤外線の放射を実施しないパッシブ型の赤外線センサ、具体的には熱起電力効果を利用したサーモパイルや、焦電効果を利用した焦電型赤外線センサや、熱電対効果を利用した熱電対型赤外線センサ等の熱型センサを好適に使用することができ、これらの熱型センサは、小型であり、動作中における消費電力が非常に小さく、且つ構造が簡単で安価であることから、複数のセンサを使用しても、得られる装置をアクティブ型のセンサを使用する場合に比較して安価とすることができる。尚、本実施例の赤外線センサ１５ａ〜１５ｅは、検知信号として、赤外線を検知した時においてのみ所定幅の信号を出力し、赤外線の検知がなくなった時には信号を出力しないセンサとしている。
【００２５】
また、本実施例では、これら使用する赤外線センサの数を５つとしているが、本発明はこれに限定されるものではなく、これら赤外線センサの数を４つや３つ、或いは幕板１０の両端部に２つ設けるようにしても良い。
【００２６】
また、赤外線センサ１５ａ〜１５ｅをほぼ直線的に配置しているが、本発明はこれに限定されるものではなく、これら赤外線センサ１５ａ〜１５ｅを、例えば千鳥状に配置しても良い。
【００２７】
そして、本実施例のミラー部材１１は、図３に示すように、可視光は反射するが、前記赤外線センサ１５ａ〜１５ｅが検知する所定波長領域の赤外線を透過するようになっており、これらのミラー部材１１としては、コールドミラーとして市販されているものを好適に使用することができる。
【００２８】
そして、幕板１０の裏面には、各装着孔１３に装着された赤外線センサ１５ａ〜１５ｅと、該赤外線センサ１５ａ〜１５ｅと本実施例の停止人数計数装置１の動作制御等を行う制御基板２１とを接続する信号線２７、並びに制御基板２１を格納するための、略Ｔ字状とされたカバー２０が設けられている。
【００２９】
そして、このカバー２０の横方向の細幅部分の中央領域には、水平方向に棒状の嵌合部２８‘を両側に有する２つの嵌着子２８が立設されており、これら２つの嵌着子２８が、図３に示すように、什器１００の幕面１０１に取り付けられている貼着板３１と嵌合部３０とを有する装着ユニット２９の嵌合部３０と嵌合部２８‘とが嵌合するように取り付けられることにより、所定の角度範囲Bにおいて停止人数計数装置１の本体の向きを調節できるとともに、該装着ユニット２９に停止人数計数装置１の本体を、後述する電池２６の交換やメモリカード２５の取出しや装着時等に容易に着脱できるようになっている。尚、貼着板３１は什器１００の幕面１０１に比較的強力な粘着材により貼着されている。
【００３０】
すなわち、本実施例における嵌着子２８と装着ユニット２９により、停止人数計数装置１の本体の高さ方向の向きを変更調節できるようになっており、該嵌着子２８と装着ユニット２９とにより本発明における向き調節手段が形成されている。
【００３１】
尚、本実施例では、これら手動にて無段階に高さ方向の向きを調節できるものとしたが、本発明はこれに限定されるものではなく、これら向き調節手段としては、段階的に高さ方向の向きを変更できるものであっても良いし、手動ではなく、電動にて調節するものであっても良い。
【００３２】
尚、本実施例の停止人数計数装置１は、ミラー部材１１を有しているので、これら停止人数計数装置１の本体の向きを調節する際に、当該調節する作業者は、自身の姿がミラー部材１１に写っているか否かによって、赤外線センサ１５ａ〜１５ｅが正しく設定する方向、つまりは、自身の方向を向いているか否かを確認しながら、正し向きに設置することができるようになっている。
【００３３】
また、カバー２０が中央部に有する下方に突出した部分には、図２に示すように、電池ケース２３と本発明における停止人数データ記憶手段並びに検知人数データ記憶手段となる記憶媒体としてのメモリカード２５の読み出し並びに書き込みを行うための本発明におけるリーダライタ手段となるカードリーダライタ２４とを有する制御基板２１が、幕板１０に突設された柱状突起２２に固定されて収納されているとともに、該電池ケース２３の該当位置には、該電池ケース２３に電池２６を着脱するための開閉蓋（図示略）が設けられ、さらに、カードリーダライタ２４に対応する当該突出した部分の側面位置には、メモリカード２５をカードリーダライタ２４に装着するための装着口（図示略）が形成されている。
【００３４】
次に、本実施例の停止人数計数装置１の構成について、図４に示すブロック図に基づいて説明すると、前記各装着孔１３に装着された赤外線センサ１５ａ〜１５ｅは、制御基板２１上に設けられている外部Ｉ／Ｏ４３の各対応するポート（１〜５）に接続されているとともに、該制御基板２１上に設けられている電源回路４２に接続されており、該電源回路４２から動作に必要となる電力が供給されるようになっている。
【００３５】
また、電源回路４２は、制御基板２１に実装された電池ケース２３に接続されており、該電池ケース２３に装着された電池２６から供給される電圧を、前記赤外線センサ１５ａ〜１５ｅに加えて、制御基板２１に実装されている各デバイスやカードリーダライタ２４の動作電圧に適宜に変更して供給するとともに、その内部に電池２６から供給される電圧を監視する電圧監視回路を内蔵しており、該電圧監視回路において監視している供給電圧が、電池２６が消耗することにより低下して所定の下限電圧となったときに、制御基板２１に実装された制御マイコン４１に対して割り込み信号を出力する。
【００３６】
すなわち、本実施例における電池２６並びに電源回路４２は、停止人数計数装置１の動作に必要とされる電力を、蓄電している電力より供給しており、該電池２６並びに電源回路４２により本発明における電力供給手段が形成されている。
【００３７】
また、制御基板２１には、さらに、前記したカードリーダライタ２４に加えて、電池２６が消耗して交換が必要であることを報知する報知音を出力するためのサウンダ４５や、制御マイコン４１、並びに、図示しないこれら制御マイコン４１の動作クロックを生成するためのクロック回路や、制御マイコン４１のリセット回路等が実装されており、該制御マイコン４１に制御基板２１に実装されているサウンダ４５、外部Ｉ／Ｏ４３、電源回路４２、カードリーダライタ２４が接続されることで、該制御マイコン４１により、本実施例の停止人数計数装置１の動作制御が内蔵する内蔵ＲＯＭに記憶された制御プログラムに基づいて実施されるようになっている。
【００３８】
また、各赤外線センサ１５ａ〜１５ｅから出力される検出信号は、接続されている外部Ｉ／Ｏ４３の各ポートに出力され、該外部Ｉ／Ｏ４３から制御マイコン４１に対して、当該検出信号が入力されたポートのポート番号が出力されることで、制御マイコン４１は、どの赤外線センサ１５ａ〜１５ｅから検出信号が出力されたのかを把握できるようになっている。
【００３９】
また、本実施例に用いたメモリカード２５には、不揮発性メモリであるフラッシュメモリが内蔵された小型のカード状とされた記憶媒体とされており、該フラッシュメモリの端部位置には、カードリーダライタ２４と信号の授受を行うための接続端子が露出形成されている。
【００４０】
このメモリカード２５をカードリーダライタ２４に装着することで、メモリカード２５の接続端子とカードリーダライタ２４側の接続端子とが導通することにより、メモリカード２５に内蔵されたフラッシュメモリに記憶されているデータを、カードリーダライタ２４内部に設けられているフラッシュメモリのコントロールＩＣ（図示略）を介して、制御マイコン４１が読み出し、或いは書き込み（書き換え）を実施することができる。
【００４１】
以下、制御マイコン４１が実施する各種処理に関して、フロー図に基づいて説明する。
【００４２】
まず、はじめに、図５に示す電池消耗報知処理に関して説明すると、制御マイコン４１は、W1並びにW５を巡回することで、電源回路４２からの割り込みがあるか否か、或いはサウンダ４５からの報知音の出力による報知を実行中であるか否かを判定し、電源回路４２からの割り込みの待機状態にて待機する。
【００４３】
この段階において、前述したように、電池２６からの供給電圧が所定の下限電圧となることにより割り込み信号が出力されたときには、該割り込み信号の入力がW１にて検知されてW２に進み、既に報知を実施中であるか否かを判定した後（W３）、報知を実施中でない場合には、通常の処理を一時中断して当該処理を優先する割り込みを実施するとともに、サウンダ４５からの報知音の出力を開始した後（W４）、当該割り込みを終了するおとで（W６）、電池２６の消耗により供給電圧が低下したことを報知音により報知して、電池２６の消耗により動作が不能となる前に電池２６の交換を促すようになっている。尚W２において既に報知を実施中の場合には、W３〜W５の処理を実施することなくW１に戻る。
【００４４】
また、これら電池２６が新たなものに交換された場合等により、電源回路４２からの割り込み信号の出力（新電池の換装による起動時には一時的に出力されて当該電池消耗報知処理が実施される）が無くなった場合には、W１において「Ｎｏ」と判定されてW６に進み、既に報知を実施中であるか否かを判定した後、報知を実施中であればW７に進んで、サウンダ４５からの報知音の出力を停止した後、W１に戻ることで、報知音の出力が終了される。
【００４５】
すなわち、本実施例の電池消耗報知処理において、本発明における電力供給手段を構成する電池２６に蓄電されている電力が消耗したことが報知されており、これら電池消耗報知処理を実施する制御マイコン４１並びに報知音を出力するサウンダ４５により、本発明における報知手段が形成されている。
【００４６】
このように、本実施例においては、制御マイコン４１が電池消耗報知処理を実施することで、電池２６の消耗が報知音にて報知されるので、電池がなくなって良好にデータがとれなくなってしまうことを回避できことから好ましいが、本発明はこれに限定されるものではなく、これらの報知を実施しないようにしても良いし、これら報知の形態も、音ではなく、例えばサウンダ４５に代えてＬＥＤを使用して、発光による報知を実施するようにしても良い。
【００４７】
次に、本実施例の制御マイコン４１が実施する人数計数処理を図６に基づいて説明すると、まず、制御マイコン４１は、外部Ｉ／Ｏ４３からのポート番号の入力の有無に基づいて、各赤外線センサ１５ａ〜１５ｅから、人の検知による検出信号の出力があったか否かを判定し（Ｓ１）、ポート番号の入力がない場合には再度Ｓ１に戻ることで、赤外線センサ１５ａ〜１５ｅにおける人の検出を監視する。
【００４８】
この状態において来店客が什器１００の新商品の前方領域にさしかかった場合には、はじめに端部に位置する赤外線センサ１５ａ或いは赤外線センサ１５ｅから検出信号が出力され、外部Ｉ／Ｏ４３から制御マイコン４１に対して当該赤外線センサ１５ａ或いは赤外線センサ１５ｅに対応するポート番号である１番または５番のポート番号が出力される。
【００４９】
この出力（入力）は、Ｓ１にて検出されてＳ２に進み、既に停止判定タイマがスタートされているか否かを判定する。
【００５０】
該判定において停止判定タイマがスタート済みでない場合、つまりは、停止判定タイマが動作中でない場合には、Ｓ７に進んで停止判定タイマをスタートさせるとともに、Ｓ８に進んで検知人数更新処理を実施した後、Ｓ１に戻る。
【００５１】
この本実施例の検知人数更新処理においては、まず、メモリカード２５に記憶されている検知人数のデータを、カードリーダライタ２４を介して読み出し、該読み出したデータから特定される検知人数に１を加えた新たな検知人数のデータの書き換え指示をカードリーダライタ２４に出力してメモリカード２５に記憶されている検知人数のデータを更新することで、停止判定タイマをスタートされる毎、つまり、いずれかの赤外線センサ１５ａ〜１５ｅにて検知されはじめてからの経過時間にかかわらず、赤外線センサ１５ａ〜１５ｅにて検知された人の数を蓄積記憶することで、立ち止まった人や立ち止まらずに通過した人も含む人数、つまりは、停止人数計数装置１の前の対象領域に進入した人の数が検知人数にカウントされる。
【００５２】
すなわち、本実施例における検知人数更新処理においては、各赤外線センサ１５ａ〜１５ｅからの検出信号が無い状態からいずれかの赤外線センサから検出信号が出力されることに基づいて、検知人数データに１を加算更新しており、該検知人数更新処理を実施する制御マイコン４１により本発明における検知人数データ加算更新手段が形成されている。
【００５３】
一方、停止判定タイマがスタート済みである場合、つまりは、既に端部の赤外線センサ１５ａ、１５ｅによる検知により既にＳ７において停止判定タイマがスタート済みである場合には、Ｓ２において「Ｙｅｓ」と判定されてＳ３に進み、該検出信号を出力してきたセンサが端部に位置する赤外線センサ１５ａ或いは赤外線センサ１５ｅであるか否か、具体的には、外部Ｉ／Ｏ４３から入力されるポート番号が「１」か「５」であるかを判定する。
【００５４】
該Ｓ３の判定において、ポート番号が「１」か「５」に該当しない場合、つまりは、端部に位置しない赤外線センサ１５ｂ〜１５ｄに対応する、ポート番号が「２」〜「４」である場合には、該検出されている来店客が停止人数計数装置１の前方位置に滞留中であるものして再度Ｓ１に戻る一方、Ｓ３の判定において、ポート番号が「１」か「５」に該当する場合、つまりは、停止人数計数装置１の前方位置に進入することで、一度、ポート番号が「１」か「５」に該当する端部の赤外線センサ１５ａ、１５ｅにて検出された来店客が、当該停止人数計数装置１の前方位置から離脱する場合には、Ｓ４に進んで停止判定タイマを停止させるとともに、当該停止した停止判定タイマの計時時間が予め制御マイコンの内部ＲＯＭに記憶されている予め設定された停止判定時間以上、例えば５秒以上であるか否かを判定し、該判定において計時時間が停止判定時間以上である場合には、Ｓ６に進んで停止人数更新処理を実施した後、Ｓ１に戻る。
【００５５】
すなわち、本実施例の制御マイコン４１における停止判定タイマにおいては、各赤外線センサ１５ａ〜１５ｅに外部Ｉ／Ｏ４３を介して接続され、当該赤外線センサ１５ａ〜１５ｅから出力される検出信号に基づいて、前記いずれか一方の端部位置の赤外線センサ１５ａ、１５ｅから検出信号が出力されてから、再度いずれか一方の端部位置の赤外線センサ１５ａ、１５ｅから検出信号が出力されるまでの期間を計時しており、該停止判定タイマによって本発明における滞留期間計時手段が形成されている。
【００５６】
この本実施例の停止人数更新処理においては、まず、メモリカード２５に記憶されている停止人数のデータを、カードリーダライタ２４を介して読み出し、該読み出したデータから特定される停止人数に１を加えた新たな停止人数のデータの書き換え指示をカードリーダライタ２４に出力してメモリカード２５に記憶されている停止人数のデータを更新することで、停止人数計数装置１の前方位置に停止判定時間である５秒以上の期間に亘り滞留した来店客が、停止人数計数装置１の前方位置に立ち止まった来店客としてカウントされる。
【００５７】
すなわち、本実施例における停止人数更新処理において、滞留期間計時手段となる本実施例の停止判定タイマにより計時された滞留期間となる計時時間が所定の停止判断期間である停止判定時間以上であるときに、停止人数データ記憶手段となるメモリカード２５に記憶されている停止人数データに１を加算更新しており、該停止人数更新処理を実施する制御マイコン４１により本発明における停止人数データ加算更新手段が形成されている。
【００５８】
このようにして、たとえば新商品の販売期間において、例えば、一日毎にメモリカード２５を交換、あるいは、一日毎に取り外したメモリカード２５からデータをパソコン等により読み出して、当該読み出したデータをリセットしてリセット後のメモリカード２５を再度装着することで、各営業日毎の停止人数と検知人数とが各メモリカード２５に記憶され、これら記憶された停止人数と検知人数とを、来店客がどの程度、新商品に興味を持ったのかを簡便に把握することができるようになる。
【００５９】
すなわち、本実施例の停止人数計数装置１によれば、消費電力の少ないパッシブ型の赤外線センサ１５ａ〜１５ｅを利用することで、動作中における消費電力を少なくでき、よって、これら装置の動作に必要となる電力を、電池２６が蓄電している電力で賄うことが可能となるので、電力ケーブル等を施設する必要がなく、停止人数計数装置１を、逐次変更される新商品が陳列される位置等に簡便に設置できるとともに、これら安価なパッシブ型の赤外線センサ１５ａ〜１５ｅを利用することで、装置自体のコストを低く抑えることができ、結果的に、商品等に興味を持つことでその場に立ち止まった人の数を安価にて把握することができる。
【００６０】
また、本実施例によれば、停止人数計数装置１の前方位置に立ち止まった人の数である停止人数に加えて、該前方位置に進入して検知された人の総数である検知人数も把握できるので、これら検知人数に対する停止人数の割合や、検知人数から停止人数を差し引いた非停止人数（通過人数）も把握することが可能となる。
【００６１】
また、本実施例によれば、停止人数データや検知人数データが、着脱可能な記憶媒体であるメモリカード２５に記憶されるので、これら停止人数データや検知人数データの回収を、メモリカード２５を取り外すことにより容易に実施することができる。
【００６２】
また、本実施例によれば、停止人数計数装置１が幕板１０により覆われることで、停止人数計数装置１の存在を来店客等に認識されることにより、来店客等に不信感や疑念を抱かせる等の不都合の発生を極力回避することができる。
【００６３】
また、本実施例によれば、さらに、幕板１０の表面にミラー部材１１を有することで、これら停止人数計数装置１が配置される什器１００等の意匠性を損なうことを極力回避できるばかりか、停止人数計数装置１が向いている方向が適正か否かを、ミラー部材１１に写る画像により判断することもできる。
【００６４】
また、本実施例によれば、電池２６の消耗が報知音にて報知されるので、電力が消耗してデータが取得できないというトラブルの発生を未然に防止することができる。
【００６５】
また、本実施例によれば、高さ方向の向きを調節できるので、停止人数計数装置１が配置される什器１００等には色々な高さのものがあるので、これら異なる高さの什器にも対応でき、これら異なる高さ位置に応じて、適宜に高さ方向の向きを調節することができる。
【００６６】
以上、本発明の実施例を図面により説明してきたが、具体的な構成はこれら実施例に限られるものではなく、本発明の要旨を逸脱しない範囲における変更や追加があっても本発明に含まれる。
【００６７】
例えば、前記実施例では、停止人数計数装置１の前面にミラー部材１１を設けているが、本発明はこれに限定されるものではなく、これらミラー部材１１に代えて、幕板１０の前面に、装着孔１３に対応する部分に孔があけられたポップやポスター等を貼着しても良い。
【００６８】
また、前記実施例では、停止判定時間を内部ＲＯＭに記憶するようにしているが、本発明はこれに限定されるものではなく、例えば、制御基板２１上にディプスイッチを設けて、該ディプスイッチにより停止判定時間を設定変更できるようにしても良い。
【００６９】
また、営業中において、停止人数や検知人数の途中経過を、メモリカード２５を取り外すことなく確認できるように、例えば、これら停止人数や検知人数を表示するための液晶表示器を制御基板２１上に設け、カバー２０の外から該液晶表示器の表示を目視確認できるように開口または透明窓部を設けるようにしても良い。
【００７０】
また、前記実施例では、記憶手段としてメモリカード２５を使用しているが、本発明はこれに限定されるものではなく、制御基板２１上に不揮発性メモリを実装して、該不揮発性メモリにこれら停止人数データや検知人数データを記憶するとともに、外部からこれら不揮発性メモリに記憶されている停止人数データや検知人数データを読み出すためのデータ通信インターフェイス、例えばＵＳＢ（Universal Serial Bus）インターフェイス等を設けるようにしても良い。
【００７１】
また、前記実施例では、電池２６として通常の一次電池を使用したが、本発明はこれに限定されるものではなく、これら電池２６を充電可能な２次電池としたり、或いは、これら２次電池を固定的に内蔵するとともに、該２次電池への充電回路や該充電回路への給電経路を備えるようにしても良い。
【００７２】
また、前記実施例では、検知信号として、赤外線を検知した時においてのみ所定幅の信号を出力し、赤外線の検知がなくなった時には信号を出力しない赤外線センサ１５ａ〜１５ｅを用いているが、本発明はこれに限定されるものではなく、これら赤外線の検知／非検知への移行の際に信号を出力するものであっても良く、この場合には、制御マイコン４１の処理を簡素化するために、同一の赤外線センサ１５ａ〜１５ｅから所定時間内に２つの信号が入力された時にのみ信号を出力する接続ゲート（信号カウンタ）等を設けて、本実施例の人数計数処理を実施するようにすれば良い。
【００７３】
また、前記実施例では、停止人数計数装置１を什器１００に取付けた例を示したが、本発明はこれに限定されるものではなく、これら停止人数計数装置１をその他の機器、例えば、遊技場の遊技機の上部位置に取り付けたり、店舗の前の通路のショーウインドウ等に設置しても良い。
【図面の簡単な説明】
【００７４】
【図１】本発明の本実施例における停止人数計数装置１を有する什器１００を示す斜視図である。
【図２】本発明の本実施例における停止人数計数装置１の外観裏面図である。
【図３】図２におけるＡ−Ａ断面図である。
【図４】本発明の本実施例における停止人数計数装置１の構成を示すブロック図である。
【図５】本発明の本実施例における停止人数計数装置１の制御マイコン４１が実施する電池消耗報知処理の処理内容を示すフロー図である。
【図６】本発明の本実施例における停止人数計数装置１の制御マイコン４１が実施する人数計数処理の処理内容を示すフロー図である。
【符号の説明】
【００７５】
１            停止人数計数装置
２            新商品
１０          幕板
１１          ミラー部材
１３          装着孔
１４          装着ホルダ
１５ａ〜ｅ    赤外線センサ
２０          カバー
２１          制御基板
２３          電池ケース
２４          カードリーダライタ
２５          メモリカード
２６          電池
２７          信号線
２８          嵌合部
２８          嵌着子
２９          装着ユニット
４１          制御マイコン
４２          電源回路
４３          外部Ｉ／Ｏ
４５          サウンダ
１００        什器
【図１】
2006350417.tif 000003
【図２】
2006350417.tif 000004
【図３】
2006350417.tif 000005
【図４】
2006350417.tif 000006
【図５】
2006350417.tif 000007
【図６】
2006350417.tif 000008